(57)【要約】【課題】  遊戯性が高いゲーム装置を提供すること。【解決手段】  物品載置部を持つ下部ケースと、挿入部材を挿入する挿入口が周囲に複数形成されると共に前記物品載置部を被覆する蓋として機能し、しかも前記下部ケースに対して上下動自在に構成されその上下動作に応じて前記物品載置部の閉塞位置と前記物品載置部の開放位置とを取り得る上部ケースとから構成されるケースを備え、さらに、前記上部ケースを前記開放位置に向けて付勢する付勢部材と、前記上部ケースを前記閉塞位置に係止する係止部材と、特定の前記挿入口から前記挿入部材が挿入されたときに前記係止部材による前記上部ケースの係止を解除させる解除部材とを具備する。【選択図】図３
2006158776.tif 000002
【特許請求の範囲】
【請求項１】
物品載置部を持つ下部ケースと、挿入部材を挿入する挿入口が周囲に複数形成されると共に前記物品載置部を被覆する蓋として機能し、しかも前記下部ケースに対して上下動自在に構成されその上下動作に応じて前記物品載置部の閉塞位置と前記物品載置部の開放位置とを取り得る上部ケースとから構成されるケースを備え、さらに、前記上部ケースを前記開放位置に向けて付勢する付勢部材と、前記上部ケースを前記閉塞位置に係止する係止部材とを備え、特定の前記挿入口からの前記挿入部材が挿入されたときに該挿入部材の突き当たりによって前記係止部材による前記上部ケースの係止を解除させるように構成されていることを特徴とする開蓋ゲーム装置。
【請求項２】
物品載置部を持つ下部ケースと、挿入部材を挿入する挿入口が周囲に複数形成されると共に前記物品載置部を被覆する蓋として機能し、しかも前記下部ケースに対して上下動自在に構成されその上下動作に応じて前記物品載置部の閉塞位置と前記物品載置部の開放位置とを取り得る上部ケースとから構成されるケースを備え、さらに、前記上部ケースを前記開放位置に向けて付勢する付勢部材と、前記上部ケースを前記閉塞位置に係止する係止部材と、特定の前記挿入口から前記挿入部材が挿入されたときに前記係止部材による前記上部ケースの係止を解除させる解除部材とを具備することを特徴とする開蓋ゲーム装置。
【請求項３】
前記上部ケースの内側には前記挿入口の各々に対応して前記解除部材が設けられ、特定の前記挿入口から前記挿入部材が挿入されたときに、該挿入口に対応する解除部材が作動して前記係止部材による前記上部ケースの係止を解除させるように構成されていることを特徴とする請求項２に記載の開蓋ゲーム装置。
【請求項４】
前記係止部材の位置を変更する変更手段を備え、前記係止手段の位置変更によって、前記上部ケースの係止を解除させるための特定の前記挿入口を変更させることを特徴とする請求項１から３いずれか一項に記載の開蓋ゲーム装置。
【請求項５】
前記挿入部材は、前記挿入口に対して抜き差し可能な差込み部材、又はコインであることを特徴とする請求項１から４いずれか一項に記載の開蓋ゲーム装置。
【請求項６】
前記物品載置部の床面は周辺に向けて下り勾配を持ち、前記上部ケースが前記閉塞位置から前記開放位置に移行した際に、前記物品載置部に載置された物品を前記下部ケース外に滑落させるように構成されていることを特徴とする請求項１から５いずれか一項記載の開蓋ゲーム装置。
【請求項７】
前記物品載置部の床面は上下動自在に構成され、前記上部ケースが前記閉塞位置から前記開放位置に移行した際に付勢部材による付勢力によって上動するように構成されていることを特徴とする請求項１から６いずれか一項に記載の開蓋ゲーム装置。
【請求項８】
前記上部ケースが前記閉塞位置にあるときに外部から前記物品収容部が視認できるように構成されていることを特徴とする請求項１から７いずれか一項に記載の開蓋ゲーム装置。
【発明の詳細な説明】
【技術分野】
【０００１】
本発明は、開蓋ゲーム装置に関するものである。
【背景技術】
【０００２】
複数の差込み部材と、飛出し部材と、差込み部材を抜差し可能な複数の差込み口と飛出し部材を受容するための穴とを有する本体と、本体内部の穴下に上下動可能に配置され上動の際に飛出し部材を前記本体から飛び出させるための可動部材と、この可動部材を上方へ向けて付勢する付勢手段と、この付勢手段による付勢力に抗して下動させた可動部材に係合してその下動状態を保持するストッパと、差込み部材の差込みによって操作可能でストッパと可動部材との係合状態を解除させる係合解除手段と、ストッパと可動部材との係合解除に必要な差込み口の変更を行う差込み口変更手段とを備えるゲーム装置が知られている（例えば、特許文献１参照）。
【特許文献１】実開平６−６１２８６号公報（図１）
【発明の開示】
【発明が解決しようとする課題】
【０００３】
上記特許文献１のゲームでは、差込み部材を複数の差込み口に１本ずつ差し込んでいくと、特定の差込み口に差し込んだ所で飛出し部材が飛び出すように構成されているので、遊戯性が高いものとなっている。
【０００４】
本発明も、上記特許文献１と同様に、遊戯性が高いゲーム装置を提供することを目的とする。
【課題を解決するための手段】
【０００５】
請求項１に記載の開蓋ゲーム装置は、物品載置部を持つ下部ケースと、挿入部材を挿入する挿入口が周囲に複数形成されると共に前記物品載置部を被覆する蓋として機能し、しかも前記下部ケースに対して上下動自在に構成されその上下動作に応じて前記物品載置部の閉塞位置と前記物品載置部の開放位置とを取り得る上部ケースとから構成されるケースを備え、さらに、前記上部ケースを前記開放位置に向けて付勢する付勢部材と、前記上部ケースを前記閉塞位置に係止する係止部材とを備え、特定の前記挿入口からの前記挿入部材が挿入されたときに該挿入部材の突き当たりによって前記係止部材による前記上部ケースの係止を解除させるように構成されていることを特徴とする。
【０００６】
請求項２に記載の開蓋ゲーム装置は、物品載置部を持つ下部ケースと、挿入部材を挿入する挿入口が周囲に複数形成されると共に前記物品載置部を被覆する蓋として機能し、しかも前記下部ケースに対して上下動自在に構成されその上下動作に応じて前記物品載置部の閉塞位置と前記物品載置部の開放位置とを取り得る上部ケースとから構成されるケースを備え、さらに、前記上部ケースを前記開放位置に向けて付勢する付勢部材と、前記上部ケースを前記閉塞位置に係止する係止部材と、特定の前記挿入口から前記挿入部材が挿入されたときに前記係止部材による前記上部ケースの係止を解除させる解除部材とを具備することを特徴とする。挿入部材としては、挿入口からケース内部に落とし込めるコインのようなものであってもよいし、挿入口にその一部が挿入されるような剣のようなものであってもよい。
【０００７】
請求項３に記載の開蓋ゲーム装置は、請求項２に記載の開蓋ゲーム装置において、前記上部ケースの内側には前記挿入口の各々に対応して前記解除部材が設けられ、特定の前記挿入口から前記挿入部材が挿入されたときに、該挿入口に対応する解除部材が作動して前記係止部材による前記上部ケースの係止を解除させるように構成されていることを特徴とする。
【０００８】
請求項４に記載の開蓋ゲーム装置は、請求項１から３いずれか一項に記載の開蓋ゲーム装置において、前記係止部材の位置を変更する変更手段を備え、前記係止手段の位置変更によって、前記上部ケースの係止を解除させるための特定の前記挿入口を変更させることを特徴とする。
【０００９】
請求項５に記載の開蓋ゲーム装置は、請求項１から４いずれか一項に記載の開蓋ゲーム装置において、前記挿入部材は、前記挿入口に対して抜き差し可能な差込み部材、又はコインであることを特徴とする。
【００１０】
請求項６に記載の開蓋ゲーム装置は、請求項１から５いずれか一項記載の開蓋ゲーム装置において、前記物品載置部の床面は周辺に向けて下り勾配を持ち、前記上部ケースが前記閉塞位置から前記開放位置に移行した際に、前記物品載置部に載置された物品を前記下部ケース外に滑落させるように構成されていることを特徴とする。
【００１１】
請求項７に記載の開蓋ゲーム装置は、請求項１から６いずれか一項に記載の開蓋ゲーム装置において、前記物品載置部の床面は上下動自在に構成され、前記上部ケースが前記閉塞位置から前記開放位置に移行した際に付勢部材による付勢力によって上動するように構成されていることを特徴とする。
【００１２】
請求項８に記載の開蓋ゲーム装置は、請求項１から７いずれか一項に記載の開蓋ゲーム装置において、前記上部ケースが前記閉塞位置にあるときに外部から前記物品収容部が視認できるように構成されていることを特徴とする。
【発明の効果】
【００１３】
請求項１から８の発明によれば、挿入部材を複数の挿入口に挿入していくと、特定の挿入口に挿入部材を挿入したときだけ上部ケースが動作して物品収容部が開放状態となる。その結果、遊戯性の高いゲーム装置が実現できる。この場合、物品収容部に予め物品を収容しておいてもよいし、ゲームの進行中に上部ケースの開放に寄与しなかった挿入部材がそのままケース内の物品収容部に落下し収容されるような構成としてもよい。
【００１４】
請求項４の発明によれば、上部ケースの係止を解除させるための挿入口を変えることができるので、緊迫感が増し、より遊戯性が高いものとなる。
【００１５】
請求項６の発明によれば、上部ケースの係止が解除されたときに物品載置部に載置された物品が前記下部ケース外に滑落するので、遊戯性、興趣性が高いものとなる。請求項７の発明のように、上部ケースが閉塞位置から開放位置に移行した際に付勢部材による付勢力によって上動するように構成されているものでは、より多くの物品が滑落するので、尚更である。
【発明を実施するための最良の形態】
【００１６】
以下に、本発明に係る開蓋ゲーム装置を図面を参照しながら説明する。
図１は、本発明に係る開蓋ゲーム装置の閉蓋状態を示した斜視図、図２は、図１の開蓋ゲーム装置の開蓋状態を示した斜視図、図３は、図１の開蓋ゲーム装置の閉蓋状態の概念的な縦断面図、図４は、コインによって、上部ケースの係止が解除される状態を示した概念的な縦断面図、図５は、開蓋状態の概念的な縦断面図である。
【００１７】
開蓋ゲーム装置１は、図１に示したように、樽形の円筒ケース２を有している。ケース２は、図２に示したように、下部ケース１０と、上部ケース３０とを備えている。
【００１８】
下部ケース１０には、底壁１１の中央部に内筒１２が立設されている。この内筒１２は、下部の小径部１２ａと、上部の大径部１２ｂとによって構成されており、大径部１２ｂの上端には、外方に張り出すフランジ１３が形成されている。また、下部ケース１０には、上部開口を覆うように、中央に孔１４を有する上底板（物品載置部）１５が配設されている。上底板１５の上面（床面）は、半径方向外方（周辺）に向けて下り勾配を持つ傾斜面１６を有している。また、上底板１５の下面には、複数箇所（例えば、３箇所）に周方向に等間隔に筒状部１７が垂設されている。一方、底壁１１には、上面の複数箇所（例えば、３箇所）に周方向に等間隔にピン１８が立設されている。そして、筒状部１７とピン１８とが嵌合し、それによって、上底板１５が下部ケース１０に対して、上下方向に摺動自在に配設される。また、筒状部１７には、コイルスプリング１９が巻装され、該コイルスプリング１９によって上底板１５が上方に向けて付勢されている。また、上底板１５の上面には、複数本（例えば、３本）のピン２０が周方向に等間隔に立設されている。
【００１９】
上部ケース３０は、天井壁３１を有する上部円筒部３２と、透明な下部円筒部３３とによって構成され、それらは一体化されている。下部円筒部３３を透明としたのは、物品収容部が外部から視認できるようにするためである。
【００２０】
上部円筒部３２の周壁には、複数（例えば、２４個）のコイン挿入口３４が周方向に等間隔に形成されている。各コイン挿入口３４は縦長で矩形に形成されている。また、天井壁３１の下面には、環状の軸受部材３５が形成されている。この軸受部材３５には周方向にコイン挿入口３４と同じ数の軸受部が設けられている。そして、各々の軸受部には、上記コイン挿入口３４のそれぞれに対応させて押送レバー（解除部材）３６が配設されている。この押送レバー３６は、下部がコイン挿入口３４を内側から塞ぐように位置され、下端部３６ａおよび上端部３６ｂが半径方向内方に向けてそれぞれ延設されている。そして、上端部３６ｂ先端は天井壁３１に当接されている。この部分は弾性を有し、押送レバー３６を初期位置に復帰させる働きをする。
また、天井壁３１は、中心に孔３７を有し、該孔３７には、下方に向けて筒状部３８が形成されている。
【００２１】
下部円筒部３３の内面には、複数本（例えば、３本）の筒状部３９が周方向に等間隔に垂設されている。この筒状部３８には、上記上底板１５のピン２０が挿入されている。筒状部３９の下端は上部ケース３０を閉じた際に上底板１５の上面を押接し、コイルスプリング１９のばね力に抗して上底板１５を下方に押し下げる働きをする。一方、ピン２０は上部ケース３０が上動する場合のガイドとして機能する。
【００２２】
上記下部ケース１０と上部ケース３０との間には外筒５０が配設されている。外筒５０は、下部ケース１０の内筒１２を囲繞するように設置されている。そして、外筒５０及び上記内筒１２の下部は円筒状のリブ８０に内側に嵌め込まれている。外筒５０の上端部は上部ケース３０の筒状部３８に外嵌されている。外筒５０は、その中心線を中心に上部ケース３０に対して回転することができるように構成されている。この外筒５０の上部には、外筒５０の孔を閉塞するように仕切り板５１が形成されている。外筒５０の仕切り板５１の下側には解除レバー８１が設けられている。この解除レバー８１の中央には等角形（例えば、６角形）のボタン５２が設けられている。このボタン５２は仕切り板５１の孔から上方に突出している。また、外筒５０の下端には、内方に向けて凸部５３が形成されており、該凸部５３の内周は、内筒１２の小径部１２ａに摺接している。このような構造は、例えば、外筒５０を半割できる構造とすれば容易に実現できる。また、外筒５０の解除レバー８１と内筒１２の底壁１２ｃとの間にはコイルスプリング５４が配装され、該コイルスプリングによって、外筒５０が上方に向けて付勢されている。
また、外筒５０には、周壁上部の一部に孔５５が形成されている。一方、外筒５０の周壁上部には孔５５の下方位置に係止レバー（係止部材）５６が配設されている。この係止レバー５６には係合爪５６ａが形成されている。係合爪５６ａの先端には下側に傾斜面５６ｂが形成されている。そして、この係止レバー５６は、軸５６ｃに巻回させた捩りコイルスプリング５７によって、係合爪５６ａが、上記孔５５内に臨むように付勢されている。また、係止レバー５６の係止爪５６ａの上には解除爪５６ｄが形成されている。この解除爪５６ｄの先端にはその上側に傾斜面５６ｅが形成されている。そして、ボタン５１を押して解除レバー８１がコイルスプリング５４の付勢力に抗して下方に動作した際に、解除レバー８１が傾斜面５６ｅに当たり、外筒５０の係止がはずれる方向に係止レバー５６が動作する。これによって、外筒５０の係止が解除されて上部ケース３０が上動することとなる。このような操作は、コイン投入に因らずに収容コインを取り出したり、コインその他の物品をケース２内に収容する場合等になされる。
【００２３】
また、開蓋ゲーム装置１では、上記外筒５０を回転操作するための操作部材（変更手段）６０と、上記上部ケース３０の押送レバー３６を作動させるためのコイン（挿入部材）７０とを備えている。操作部材５０は全体として人形の形をしている。そして、操作部材６０は、下部に、上記上部ケース３０の孔３７に挿嵌される円柱部６１を有し、該円柱部の下面中央に、上記外筒５０のボタン５２に合致する等角形（例えば、６角形）の凹部６２を有している。
また、コイン７０は、金属,プラスチック,紙等に形成された円板で、上部ケース３０のコイン挿入口３４に対応した大きさに形成されている。
【００２４】
なお、上部ケース３０には、上部円筒部３２と下部円筒部３３との境界付近に図６に示すような環状プレート９０が取り付けられている。この環状プレート９０は中央の環状部分９１と外周の環状部分９２とを有し、両環状部分が放射状のアーム９３で連結された構造となっている。すなわち、両環状部分とアームとによって区画される部分は扇状の孔９４となっていて、その孔を通して投入コイン７０が落下する。この環状プレート３０は上部ケース３０が下部ケース１０から外れるのを防止する機能を持つ。なお、中央の孔９５を外筒５０を挿入するためのものである。
【００２５】
このように構成された開蓋ゲーム装置１は、以下のようにして操作される。
【００２６】
図３における状態では、係止レバー５６の係合爪５６ａが内筒１２のフランジ１３下に係合し、外筒５０、即ち、上部ケース３０の上動が規制され、上底面１５が、上部ケース３０の筒状部３９によって、押し下げられている。また、操作部材６０は、孔３７を介して外筒５０内に挿嵌され、凹部６２が外筒５０のボタン５２に嵌合されている。
【００２７】
この状態で、操作部材６０を任意の角度回転させる。すると、外筒５０が回転し、その外筒５０の回転に連動して係止レバー５６が移動し、１つの押送レバー（選択された押送レバー）３６と対応する位置に停止される。
【００２８】
この状態で、遊戯者はコイン挿入口３４を選び、そのコイン挿入口３４にコイン７０を投入する。すると、コイン７０を投入した位置の押送レバー３６が内方に向かって動作する。この場合、押送レバー３６の対向する位置に係止レバー５６が存在しないと、押送レバー３６が内方に向かって移動するだけで、係止レバー５６には何ら影響を与えることはない。一方、コイン７０は、ケース２内に落下し、上底板１５上に堆積される。
【００２９】
コイン挿入口３４に投入したコイン７０が、選択された押送レバー３６に当り、該押送レバーが動作すると、押送レバー３６が係止レバー５６に当たり、該係止レバーを図３において、時計方向に回動させる。その結果、係止レバー５６の係合爪５６ａが内筒１２のフランジ１３から離反する。係合爪５６ａがフランジ１３から離反すると、外筒５０がコイルスプリング５４の付勢力によって上動され、図４に示したように、上部ケース３０が下部ケース１０から離反する。そして、上部ケース３０は、外筒５０のフランジ５３が内筒１２における小径部１２ａと大径部１２ｂとの境界に形成される段部１２ｄに当接することによって、そこに停止する。同時に、上部ケース３０のボス３９による上底板１５の規制も解除されるので、スプリング１９の付勢力によって、上底板１５も上動し、該上底板の傾斜面１６に堆積されているコイン７０が外部に排出される。この上底板１５の上動は、図示しないストッパによって適宜高さで停止される。
【００３０】
再度、遊戯（ゲーム）を開始する場合には、図４の状態のケース２の上部ケース３０を押し下げる。すると、係止レバー５６の傾斜面５６ｂが内筒１２のフランジ１３に当接し、係止レバー５６は、図５において、時計方向に回動される。そして、係合爪５６ａがフランジ１３を通り越すことによって、図３に示したように、フランジ１３に係合する。
以後、上記操作を繰り返すことによって、遊戯を行なう。
【００３１】
この遊戯によれば、遊戯者がコイン挿入口３４を任意に選択するため、偶然性が高く、以前のコイン挿入口３４の位置を覚えていないと、再び、同じコイン挿入口３４にコイン７０を投入する場合もあり、「神経衰弱ゲーム」と同様な遊戯を行なうことができる。また、次の順番の遊戯者がコイン７０を投入する前に、その都度、操作部材６０によって、係止レバー５６の位置を変えれば、当たりの確率をより低くすることができる。
また、上記実施の形態の開蓋ゲーム装置１では、押送レバー３６が、各コイン挿入口３４に対応して配設されているので、係止レバー５６がコイン挿入口３４を介して外部から視認することができないので、公正性をより高めることができる。
【００３２】
なお、上記実施の形態の開蓋ゲーム装置１では、押送レバー３６をコイン７０によって作動させているが、コイン７０に替えて、短剣等の他の挿入物を適用させることもできる。
また、上記実施の形態の開蓋ゲーム装置１では、投入したコイン７０を上底板１５上に堆積させ、開蓋させた場合に、その堆積させたコイン７０を取り出すことができるようにしているが、上底板１５に予め、他の物品を収容させておき、開蓋させることによって、その物品を取り出すことができるようにしてもよい。
【００３３】
以上、本発明の実施形態について説明したが、本願発明は、かかる実施形態に限定されるものではなく、要旨を変更しない範囲で変形可能であることはいうまでもない。
【００３４】
例えば、上記実施形態では、解除部材（押送レバー３６）を設けたが、挿入部材で直接、係止部材（係止レバー５６）による係止を解除させるようにしてもよい。
【００３５】
また、上記実施形態では、軸５６ｃを中心に外筒５０の径方向に動作する係止レバー５６によって外筒５０を係止するように構成したが、外筒５０の外周に操作部を持ち外筒５０の周方向又は接線方向に沿って動作する係止部材によって外筒５０を係止するように構成してもよい。
【図面の簡単な説明】
【００３６】
【図１】本発明に係る開蓋ゲーム装置の閉蓋状態を示した斜視図である。
【図２】本発明に係る開蓋ゲーム装置の開蓋状態を示した斜視図である。
【図３】本発明に係る開蓋ゲーム装置の閉蓋状態における概念的な縦断面図である。
【図４】本発明に係る開蓋ゲーム装置における上部ケースの係止が解除される状態を示した概念的な縦断面図である。
【図５】本発明に係る開蓋ゲーム装置における開蓋状態の概念的な縦断面図である。
【図６】本発明に係る開蓋ゲーム装置における環状プレートの平面図である。
【符号の説明】
【００３７】
１  開蓋ゲーム装置
２  ケース
１０  下部ケース
１５  物品載置部
１６  傾斜面
１９  コイルスプリング
３０  上部ケース
３４  コイン挿入口
３６  押送レバー（解除部材）
５６  係止レバー（係止部材）
７０  コイン（挿入部材）
【図１】
2006158776.tif 000003
【図２】
2006158776.tif 000004
【図３】
2006158776.tif 000005
【図４】
2006158776.tif 000006
【図５】
2006158776.tif 000007
【図６】
2006158776.tif 000008